(57)【要約】【課題】ケーシングの内部に貯留されたバラスト水を、速やかに、かつ、好適に排出させられるバラスト水処理装置を提供すること。【解決手段】バラスト水処理装置１は、ケーシング１０と、ケーシング１０の内部に配置されバラスト水を濾過するフィルタ２０と、フィルタ２０の一次側にバラスト水を導入する導入部１４と、ケーシング１０の内部に圧縮ガスを供給する圧縮ガス供給部６０と、ケーシング１０におけるフィルタ２０の一次側からバラスト水を排出する第１排出部と、ケーシング１０の下部におけるフィルタ２０の二次側に設けられフィルタ２０の二次側からバラスト水を排出する第２排出部１３１と、フィルタ２０の一次側と二次側とを連通させる連通部Ｌ４（連通ラインＬ４）と、を備える。【選択図】図１
2018065539.tif 000002
【特許請求の範囲】
【請求項１】
ケーシングと、
前記ケーシングの内部に配置されバラスト水を濾過するフィルタと、
前記フィルタの一次側にバラスト水を導入する導入部と、
前記ケーシングの内部に圧縮ガスを供給する圧縮ガス供給部と、
前記ケーシングにおける前記フィルタの一次側からバラスト水を排出する第１排出部と、
前記ケーシングの下部における前記フィルタの二次側に設けられ該フィルタの二次側からバラスト水を排出する第２排出部と、
前記フィルタの一次側と二次側とを連通させる連通部と、を備えるバラスト水処理装置。
【請求項２】
前記圧縮ガス供給部は、前記フィルタと前記ケーシングとの間に圧縮ガスを供給する請求項１に記載のバラスト水処理装置。
【請求項３】
前記連通部は、前記第２排出部と前記導入部とを接続する請求項１又は２に記載のバラスト水処理装置。
【請求項４】
前記導入部の断面流路面積は、前記第１排出部の断面流路面積よりも大きい請求項１〜３のいずれかに記載のバラスト水処理装置。
【請求項５】
前記導入部に接続され、濾過されるバラスト水を前記ケーシングの内部へ供給する導入ラインを更に備え、
前記第１排出部は、前記ケーシングの内部のバラスト水を排出する排出ラインを含んで構成され、
前記排出ラインの一端側は、前記導入ライン又は前記導入部に接続される請求項１〜４のいずれかに記載のバラスト水処理装置。
【発明の詳細な説明】
【技術分野】
【０００１】
本発明は、バラスト水を濾過するフィルタを備えるバラスト水処理装置に関する。
【背景技術】
【０００２】
従来、タンカー等の船舶において、積み荷の原油等を降ろした後、再度目的地に向けて航行する際、航行中の船舶のバランスを取るため、船舶に設けられたバラストタンク内にバラスト水と呼ばれる水を貯留することが行われる。バラスト水は、通常、荷上港で取水され、荷積港で排出される。そのため、それらの場所が異なっていれば、バラスト水の中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。
【０００３】
バラスト水の中に含まれる微生物の含有量を低減するために、バラスト水を収容するケーシングと、このケーシングの内部に配置されバラスト水を濾過するフィルタと、を備えるバラスト水処理装置が提案されている（例えば、特許文献１参照）。
【先行技術文献】
【特許文献】
【０００４】
【特許文献１】特開２０１４−２２７１０７号公報
【発明の概要】
【発明が解決しようとする課題】
【０００５】
バラスト水処理装置のフィルタには、高度の微生物除去性能が要求されているため、フィルタとして、極小目開の金網等による濾過体が用いられる。極小目開の濾過体により構成されるフィルタは、目詰まりが激しいため、定期的に洗浄を行うことが必要とされる。
【０００６】
そこで、バラスト水処理装置の運転が終了した後に、ケーシングに収容されたバラスト水を排出し、その後、ケーシングの内部にバラスト水が存在しない状態でフィルタに洗浄水を噴き付けて異物を除去する洗浄が行われる。ここで、このような洗浄を行う場合には、洗浄にかかる時間を短縮するために、ケーシングに収容されたバラスト水を速やかに排出することが求められる。また、フィルタを好適に洗浄するために、ケーシングの内部にバラスト水が残留しないように排出することが求められる。
【０００７】
従って、本発明は、ケーシングの内部に収容されたバラスト水を、速やかに、かつ、好適に排出させられるバラスト水処理装置を提供することを目的とする。
【課題を解決するための手段】
【０００８】
本発明は、ケーシングと、前記ケーシングの内部に配置されバラスト水を濾過するフィルタと、前記フィルタの一次側にバラスト水を導入する導入部と、前記ケーシングの内部に圧縮ガスを供給する圧縮ガス供給部と、前記ケーシングにおける前記フィルタの一次側からバラスト水を排出する第１排出部（例えば、実施形態における下部回転軸部材３２、導入部１４及び排出ラインＬ３に相当）と、前記ケーシングの下部における前記フィルタの二次側に設けられ該フィルタの二次側からバラスト水を排出する第２排出部と、前記フィルタの一次側と二次側とを連通させる連通部（例えば、実施形態における連通ラインＬ４に相当）と、を備えるバラスト水処理装置に関する。
【０００９】
また、前記圧縮ガス供給部は、前記フィルタと前記ケーシングとの間に圧縮ガスを供給することが好ましい。
【００１０】
また、前記連通部は、前記第２排出部と前記導入部とを接続することが好ましい。
また、前記導入部の断面流路面積は、前記第１排出部の断面流路面積よりも大きいことが好ましい。
【００１１】
また、バラスト水処理装置は、前記導入部に接続され、濾過されるバラスト水を前記ケーシングの内部へ供給する導入ラインを更に備え、前記第１排出部は、前記ケーシングの内部のバラスト水を排出する排出ラインを含んで構成され、前記排出ラインの一端側は、前記導入ライン又は前記導入部に接続されることが好ましい。
【発明の効果】
【００１２】
本発明のバラスト水処理装置によれば、ケーシングの内部に収容されたバラスト水を、速やかに、かつ、好適に排出させられる。
【図面の簡単な説明】
【００１３】
【図１】本発明の一実施形態に係るバラスト水処理装置の構成を示す図である。
【発明を実施するための形態】
【００１４】
以下、本発明のバラスト水処理装置の好ましい一実施形態について、図面を参照しながら説明する。
本実施形態のバラスト水処理装置１は、図１に示すように、ケーシング１０と、このケーシング１０の内部に配置されるフィルタ２０と、フィルタ回転手段３０と、ケーシング１０にバラスト水を導入する導入部１４と、フィルタ２０を逆洗する逆洗機構４０と、フィルタ２０に洗浄水を噴射する噴射ノズル５０と、ケーシング１０の内部に圧縮ガスを供給する圧縮ガス供給部６０と、ケーシング１０にバラスト水を導入する導入ラインＬ１と、洗浄水ラインＬ２と、フィルタ２０の一次側からケーシング１０に収容されたバラスト水を排出する第１排出部の一部を構成する排出ラインＬ３と、フィルタ２０の二次側からケーシング１０に収容されたバラスト水を排出する第２排出部１３１と、請求項における連通部に相当する連通ラインＬ４と、を備える。
尚、本明細書において「ライン」とは、流路、経路、管路等の流体の流通が可能なラインの総称である。
【００１５】
ケーシング１０は、バラスト水を収容する。ケーシング１０は、上端部及び下端部が開口した円筒状の本体部１１と、本体部１１の上端部を密閉する上側蓋部１２と、本体部１１の下端部を密閉する下側蓋部１３と、を備える。
本体部１１の周面には、ケーシング１０に収容され、後述のフィルタ２０により濾過されたバラスト水が流出する流出口１１１が設けられる。
【００１６】
フィルタ２０は、上端部及び下端部が開口した円筒状のフィルタ本体２１と、フィルタ本体２１の上端部を密閉する上側閉止部２２と、フィルタ本体２１の下端部を密閉する下側閉止部２３と、を備える。
フィルタ２０（フィルタ本体２１）は、ケーシング１０より小さな円筒状に形成され、ケーシング１０と同軸となるように、ケーシング１０の内部に配置される。これにより、ケーシング１０とフィルタ２０との間には、バラスト水流出空間Ｓ１が形成される。
【００１７】
フィルタ回転手段３０は、ケーシング１０の内部に配置されたフィルタ２０を、中心軸を回転軸として回転させる。このフィルタ回転手段３０は、上部回転軸部材３１と、下部回転軸部材３２と、上部回転軸部材３１を回転させるモータ３３と、を含んで構成される。
上部回転軸部材３１は、フィルタ２０の上側閉止部２２におけるフィルタ２０の中心軸に対応する位置に、上向きに突出して配置される。下部回転軸部材３２は、フィルタ２０の下側閉止部２３におけるフィルタ２０の中心軸に対応する位置に、下向きに突出して配置される。
【００１８】
上部回転軸部材３１は、ケーシング１０の上側蓋部１２を貫通し、かつ、シーリングされた軸受部材３４を介して、上側蓋部１２に回転自在に、かつ、液密に支持される。下部回転軸部材３２は、ケーシング１０の下側蓋部１３を貫通し、かつ、シーリングされた軸受部材３５を介して、下側蓋部１３に回転自在に、かつ、液密に支持される。下部回転軸部材３２は、フィルタ２０の内部と連通する管状体となっており、ケーシング１０の下側蓋部１３からケーシング１０の外部に突出する。
【００１９】
導入部１４は、管状部材により形成され、一端部（上端部）が下部回転軸部材３２の下端側を覆うように、下側蓋部１３に接続される。導入部１４の他端部（下端部）は、後述の導入ラインＬ１に接続され、この導入ラインＬ１から供給されるバラスト水をケーシング１０の内部におけるフィルタ２０の一次側に導入する。
【００２０】
逆洗機構４０は、吸引ノズル４１と、集合管４２と、排出管４３と、排出管４３に配置される開閉弁４４と、を備える。
【００２１】
吸引ノズル４１は、フィルタ２０の一次側（内側）に配置され、先端側がフィルタ２０の一次側の面（内周面）に向かって開口する。本実施形態では、吸引ノズル４１は、フィルタ２０の中心軸の延びる方向に垂直な方向に延びるように配置される。また、吸引ノズル４１は、フィルタ２０の中心軸の延びる方向（上下方向）に所定の間隔をあけて複数本配置される。吸引ノズル４１には、フィルタ２０の二次側から一次側に向かって流れるバラスト水及びこのバラスト水によりフィルタ２０の内周面から剥離された異物が流通する。
【００２２】
集合管４２は、フィルタ２０の中心軸に一致する位置に配置され、上端部が閉鎖し下端部が開口している。集合管４２の上端部は、フィルタ２０の上側閉止部２２の中央に設けられた孔に挿入されて支持されている。集合管４２には、吸引ノズル４１を流通したバラスト水及び異物が集合して流通する。
【００２３】
排出管４３は、上端部が集合管４２の下端部に接続され、下部回転軸部材３２の内部をフィルタ２０の回転を妨げないように下方に延びる。排出管４３の下端側は、屈曲して延びており、導入部１４の周面を貫通している。排出管４３は、集合管４２を流通したバラスト水及び異物を排出する。
開閉弁４４は、排出管４３における導入部１４の貫通部分よりも二次側に配置され、排出管４３を開閉する。
【００２４】
噴射ノズル５０は、フィルタ２０の二次側に配置され、先端部がフィルタ２０の二次側の面（外周面）に向かって開口する。本実施形態では、噴射ノズル５０は、フィルタ２０の中心軸の延びる方向（上下方向）に所定の間隔をあけて複数本配置される。噴射ノズル５０は、後述の洗浄水ラインＬ２に接続され、洗浄水ラインＬ２から供給される洗浄水をフィルタ２０の二次側の面に向かって噴射する。
【００２５】
圧縮ガス供給部６０は、コンプレッサ等の圧縮ガス供給源（図示せず）と、圧縮ガス供給ライン６１と、圧縮ガス供給弁６２と、を備える。圧縮ガス供給ライン６１は、ケーシング１０の上側蓋部１２に接続され、フィルタ２０とケーシング１０との間（ケーシング１０の内部におけるフィルタ２０の二次側）に圧縮ガスを供給する。本実施形態では、圧縮ガスとして圧縮空気が用いられる。
【００２６】
導入ラインＬ１は、ケーシング１０にバラスト水（海水）を導入する。導入ラインＬ１の先端部は、導入部１４に接続される。導入ラインＬ１には、ポンプ７１及び開閉弁７２が配置される。
【００２７】
洗浄水ラインＬ２は、先端側が噴射ノズル５０に接続され、噴射ノズル５０に洗浄水を供給する。洗浄水ラインＬ２の基端側は、洗浄水供給源（図示せず）に接続される。
【００２８】
排出ラインＬ３は、一次側の端部が導入部１４に接続される。排出ラインＬ３は、ケーシング１０の内部に収容されたバラスト水をフィルタ２０の一次側から排出する場合に用いられる。即ち、ケーシング１０の内部に収容されたバラスト水は、第１排出部としての下部回転軸部材３２、導入部１４及び排出ラインＬ３を通って排出される。排出ラインＬ３には、開閉弁７３が配置される。
本実施形態では、排出ラインＬ３の流路断面積は、導入部１４の流路断面積よりも小さく構成される。
【００２９】
第２排出部１３１は、ケーシング１０の下側蓋部１３におけるフィルタ２０の二次側に配置される。第２排出部１３１は、下側蓋部１３に接続された管状部材により構成され、ケーシング１０の内部に収容されたバラスト水をフィルタ２０の二次側から排出する場合に用いられる。
【００３０】
連通ラインＬ４は、フィルタ２０の一次側と二次側とを連通させる。本実施形態では、連通ラインＬ４は、第２排出部１３１と導入部１４とを接続することで、ケーシング１０の内部のフィルタ２０の一次側の空間と二次側の空間とを連通させる。連通ラインＬ４には、開閉弁７４が配置される。本実施形態では、連通ラインＬ４と導入部１４との接続部は、排出ラインＬ３と導入部１４との接続部よりも上部（ケーシング１０）側に配置される。また、連通ラインＬ４の流路断面積は、導入部１４の流路断面積及び排出ラインＬ３の流路断面積よりも小さく構成される。
【００３１】
本実施形態では、連通ラインＬ４は、圧縮ガス供給部６０からフィルタ２０の二次側に供給された圧縮ガスが第２排出部１３１を通り導入部１４を経るが排出ラインＬ３側に流れず、フィルタ２０の一次側の上部に流れるようにフィルタ２０の一次側と二次側とを連通させる。
即ち、フィルタ２０の一次側にバラスト水が存在する場合、圧縮ガス供給部６０からフィルタ２０の二次側に供給された圧縮ガスは、第２排出部１３１及び連通ラインＬ４を通り導入部１４に到達するが、水とガスの比重差によって排出ラインＬ３側に流れず、フィルタ２０の一次側の上部に流れる。
また、圧縮ガス供給部６０からフィルタ２０の二次側に供給され、フィルタ２０を通過して一次側に流れた圧縮ガスは、一次側のバラスト水を押し出した後、導入部１４を通り、排出ラインＬ３側に流れる。ここで、フィルタ２０の二次側のバラスト水は、フィルタ２０の一次側の水が排出された後又は同時に、水とガスの比重差又は圧力差によって第２排出部１３１、連通ラインＬ４及び導入部１４を経て排出ラインＬ３から排出される。
特に、本実施形態では、連通ラインＬ４をケーシング１０の近傍の下部に配置された導入部１４に接続することで、連通ラインＬ４を流通する圧縮ガスを好適にケーシング１０の内部に導ける。
【００３２】
以上のバラスト水処理装置１によれば、バラスト水を濾過する場合には、導入ラインＬ１の開閉弁７２が開状態とされ、ポンプ７１が駆動される。また、フィルタ回転手段３０によりフィルタ２０が回転される。すると、導入ラインＬ１から導入部１４に供給されたバラスト水は、下部回転軸部材３２を通ってケーシング１０の内部におけるフィルタ２０の一次側（内側）に導入されてフィルタ２０により濾過処理され、流出口１１１から流出される。流出口１１１から流出したバラスト水は、バラストタンク（図示せず）に貯留される。
【００３３】
また、この状態においては、逆洗機構４０の開閉弁４４が開かれることで、吸引ノズル４１、集合管４２及び排出管４３の内部がケーシング１０の内部に対して負圧となる。すると、フィルタ２０の一次側から二次側（バラスト水流出空間Ｓ１側）に濾過されたバラスト水の一部が再びフィルタ２０の二次側から一次側に流れ、フィルタ２０の内周面に付着した異物を剥離させて吸引ノズル４１から吸引される。吸引ノズル４１を流通したバラスト水及び剥離された異物は、集合管４２及び排出管４３を通り、排出される。これにより、フィルタ２０が逆洗浄され、フィルタ２０の一次側に付着した異物が除去される。
尚、バラスト水の濾過処理を行う場合には、排出ラインＬ３の開閉弁７３、連通ラインＬ４の開閉弁７４、圧縮ガス供給部６０の圧縮ガス供給弁６２は、いずれも閉止される。
【００３４】
一方、バラスト水処理装置１の運転が終了した後や、その他フィルタ２０をより強力に洗浄したい場合には、ケーシング１０に収容されたバラスト水を排出し、その後、ケーシング１０の内部に水が存在しない状態でフィルタ２０に洗浄水を噴き付けて異物を除去する洗浄を行う。このような場合には、まず、導入ラインＬ１の開閉弁７２が閉状態とされ、ポンプ７１は停止される。また、逆洗機構４０の開閉弁が閉止される。そして、排出ラインＬ３の開閉弁７３及び連通ラインＬ４の開閉弁７４が開状態とされる。この状態で、圧縮ガス供給部６０の圧縮ガス供給弁６２が開状態とされる。
【００３５】
すると、圧縮ガス供給源から供給された圧縮ガスがケーシング１０の内部に供給されることで、ケーシング１０の内部が加圧される。これにより、ケーシング１０の内部に収容されたバラスト水は、下部回転軸部材３２、導入部１４、導入ラインＬ１及び排出ラインＬ３（第１排出部）を通って排出されると共に、第２排出部１３１、導入部１４及び排出ラインＬ３を通って排出される。よって、フィルタ２０の一次側及び二次側の二箇所からバラスト水を排出させられるので、ケーシング１０の内部に収容されたバラスト水を速やかに排出できる。
【００３６】
ここで、フィルタ２０の目詰りによりフィルタ２０を介してフィルタ２０の二次側と一次側との間で圧縮ガスの流通がスムーズに行われない場合には、ケーシング１０の内部における圧縮ガスが供給される側（本実施形態ではフィルタ２０の二次側）に存在するバラスト水が優先的に排出され、ケーシング１０の内部における圧縮ガスが供給されない側（本実施形態ではフィルタ２０の一次側）にはバラスト水が残存した状態となり、バラスト水の排出が速やかに行えなくなってしまう。
【００３７】
そこで、本実施形態では、バラスト水処理装置１を、フィルタ２０の一次側と二次側とを連通させる連通ラインＬ４を含んで構成している。これにより、フィルタ２０に目詰りが生じてフィルタ２０を介した圧縮ガスの流通が阻害された場合であっても、ケーシング１０の内部に供給された圧縮ガスを、連通ラインＬ４を介してケーシングの内部におけるフィルタ２０の一次側及び二次側の両方に供給できる。よって、フィルタ２０の一次側の空間及び二次側の空間を同じように加圧できるので、フィルタ２０の一次側及び二次側の両方に存在するバラスト水を好適に排出させられる。即ち、本実施形態によれば、フィルタ２０の目詰まりの状態（つまり、フィルタ２０の汚れ具合）にかかわらず、フィルタ２０の一次側及び二次側の両方に存在するバラスト水を好適に排出させられる。一方、連通ラインＬ４を備えない場合には、フィルタ２０の目詰まりが少ない状態では、フィルタ２０の一次側のバラスト水は好適に排出されて一次側の水位は低下するが、フィルタ２０の目詰まりが進行するに従って、一次側のバラスト水の排出能力が低下し、一次側に残存するバラスト水の水位は上昇してしまう。
【００３８】
ケーシング１０の内部からバラスト水が排出された後、フィルタ回転手段３０によりフィルタ２０が回転された状態で、噴射ノズル５０からフィルタ２０の二次側の面に洗浄水が噴射され、フィルタ２０が洗浄される。
【００３９】
以上説明した本実施形態のバラスト水処理装置１によれば、以下のような効果を奏する。
【００４０】
（１）バラスト水処理装置１では、フィルタ２０が詰まった場合、ケーシング１０の内部のバラスト水を排出した後、フィルタ２０の洗浄を行って目詰りを解消する。そこで、バラスト水処理装置１を、ケーシング１０の内部に圧縮ガスを供給する圧縮ガス供給部６０と、ケーシング１０におけるフィルタ２０の一次側からバラスト水を排出する第１排出部（下部回転軸部材３２、導入部１４、導入ラインＬ１及び排出ラインＬ３）と、ケーシング１０の下部におけるフィルタ２０の二次側に設けた第２排出部１３１と、を含んで構成した。これにより、ケーシング１０の内部に圧縮ガスを供給することでケーシング１０の内部を加圧でき、第１排出部及び第２排出部１３１からケーシング１０の内部に収容されたバラスト水を速やかに排出させられる。また、フィルタの一次側と二次側とを連通させる連通部としての連通ラインＬ４を含んで構成した。これにより、フィルタ２０に目詰りが生じてフィルタ２０を介した圧縮ガスの流通が阻害された場合であっても、ケーシング１０の内部に供給された圧縮ガスを、連通ラインＬ４を介してケーシングの内部におけるフィルタ２０の一次側及び二次側の両方に均等に供給できる。よって、フィルタ２０の一次側の空間及び二次側の空間を同じように加圧できるので、フィルタ２０の一次側及び二次側の両方に存在するバラスト水を好適に排出させられる。
【００４１】
（２）圧縮ガス供給部６０に、フィルタ２０とケーシング１０との間（フィルタ２０の二次側の空間）に圧縮ガスを供給させた。この場合、圧縮ガスがフィルタ２０の二次側に供給されるので、フィルタ２０の目詰りによりフィルタ２０の二次側と一次側との間で圧縮ガスの流通がスムーズに行われない場合には、フィルタ２０の二次側に存在するバラスト水が優先的に第２排出部１３１から排出され、フィルタ２０の一次側にはバラスト水が残存した状態となる。しかし、本実施形態では、連通ラインＬ４を介して、ケーシング１０の内部におけるフィルタ２０の二次側に供給された圧縮ガスをケーシング１０の内部におけるフィルタ２０の一次側に供給できる。よって、フィルタ２０の一次側の空間をフィルタ２０の二次側の空間と同様に加圧できるので、フィルタ２０の一次側に残存するバラスト水を好適に排出させられる。また、第２排出部１３１から排出される圧縮ガスを、排出ラインＬ３から排出することなくフィルタ２０の一次側の空間に供給することで、圧縮ガス有効に利用できる。よって、圧縮ガスの消費量を増やすことなく、バラスト水を好適に排出できる。
【００４２】
（３）連通ラインＬ４に、第２排出部１３１と導入部１４とを接続させた。これにより、フィルタ２０の二次側から第２排出部１３１を通じて供給される圧縮ガスを、好適にフィルタ２０の一次側に供給できるので、バラスト水の排出促進効果をより好適に得られる。
（４）導入部１４の断面流路面積を、排出ラインＬ３の断面流路面積よりも大きく構成した。これにより、連通ラインＬ４から導入部１４に導入された圧縮ガスを、より優先的にケーシング１０側に導ける。
【００４３】
以上、本発明のバラスト水処理装置の好ましい一実施形態について説明した。しかし、本発明は、上述した実施形態に限定されることなく、種々の形態で実施することができる。
例えば、本実施形態においては、フィルタ２０は、内部に流入したバラスト水を濾過して外部へ流出させる筒状のフィルタであるが、これに制限されない。即ち、フィルタは、外部から流入するバラスト水を濾過して内部から流出させる筒状のフィルタであってもよく、また、筒状ではないフィルタであってもよい。
また、本実施形態では、バラスト水処理装置１を、回転するフィルタ２０を含んで構成したが、これに限らない。即ち、バラスト水処理装置を、ケーシングに固定されたフィルタ（即ち、回転しないフィルタ）を含んで構成してもよい。この場合、第１排出部の構成及び吸引ノズルの構成は、適宜変更することができる。
また、本実施形態では、圧縮ガスをフィルタ２０の二次側に供給するよう圧縮ガス供給部６０を配置したが、これに限らない。即ち、圧縮ガスをフィルタの一次側に供給するよう圧縮ガス供給部を配置してもよい。この場合、連通ラインは、圧縮ガス供給部６０からフィルタ２０の一次側に供給された圧縮ガスが排出ラインＬ３側に流れず、導入部１４及び第２排出部１３１を経て、フィルタ２０の二次側の上部に流れるようにフィルタ２０の一次側と二次側とを連通させる。
また、本実施形態では、円筒状のフィルタ２０の内側から外側にバラスト水を流してバラスト水の濾過を行ったが、これに限らない。即ち、筒状のフィルタの外側から内側にバラスト水を流して濾過を行ってもよい。この場合において、圧縮ガス供給部は、圧縮ガスをフィルタの二次側（フィルタの内側）に供給してもよく、また、フィルタの一次側（フィルタの外側）に供給してもよい。
【００４４】
また、本実施形態では、連通ラインＬ４により第２排出部１３１と導入部１４とを連通させたが、これに限らない。例えば、連通ラインＬ４により、第２排出部１３１と導入ラインＬ１とを連通させてもよい。即ち、連通ラインＬ４は、第２排出部１３１から供給されたガスが、排出ラインＬ３側に流れずに導入部１４からケーシング１０の内部におけるフィルタ２０の一次側に流れるように、又は、導入部１４から供給されたガスが、排出ラインＬ３側に流れずに第２排出部１３１からケーシング１０の内部におけるフィルタ２０の二次側に流れるように、フィルタ２０の一次側と二次側とを連通させることができればよい。
【符号の説明】
【００４５】
１  バラスト水処理装置
１０  ケーシング
１４  導入部
２０  フィルタ
６０  圧縮ガス供給部
１３１  第２排出部
Ｌ１  導入ライン
Ｌ３  排出ライン
【図１】
2018065539.tif 000003
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
ケーシングと、
前記ケーシングの内部に配置されバラスト水を濾過するフィルタと、
前記フィルタの一次側にバラスト水を導入する導入部と、
前記ケーシングにおける前記フィルタの一次側からバラスト水を排出する第１排出部と、
前記ケーシングの下部における前記フィルタの二次側に設けられ該フィルタの二次側からバラスト水を排出する第２排出部と、
前記フィルタの一次側と二次側とを連通させる連通部と、を備えるバラスト水処理装置。
【請求項２】
前記連通部は、前記第２排出部と前記導入部とを接続する請求項１に記載のバラスト水処理装置。
【請求項３】
前記ケーシングの内部に圧縮ガスを供給する圧縮ガス供給部を更に備える請求項１又は２に記載のバラスト水処理装置。
【請求項４】
前記圧縮ガス供給部は、前記フィルタと前記ケーシングとの間に圧縮ガスを供給する請求項３に記載のバラスト水処理装置。
【請求項５】
前記導入部の断面流路面積は、前記第１排出部の断面流路面積よりも大きい請求項２〜４のいずれかに記載のバラスト水処理装置。
【請求項６】
前記導入部に接続され、濾過されるバラスト水を前記ケーシングの内部へ供給する導入ラインを更に備え、
前記第１排出部は、前記ケーシングの内部のバラスト水を排出する排出ラインを含んで構成され、
前記排出ラインの一端側は、前記導入ライン又は前記導入部に接続される請求項１〜５のいずれかに記載のバラスト水処理装置。
【手続補正２】
【補正対象書類名】明細書
【補正対象項目名】０００８
【補正方法】変更
【補正の内容】
【０００８】
本発明は、ケーシングと、前記ケーシングの内部に配置されバラスト水を濾過するフィルタと、前記フィルタの一次側にバラスト水を導入する導入部と、前記ケーシングにおける前記フィルタの一次側からバラスト水を排出する第１排出部（例えば、実施形態における下部回転軸部材３２、導入部１４及び排出ラインＬ３に相当）と、前記ケーシングの下部における前記フィルタの二次側に設けられ該フィルタの二次側からバラスト水を排出する第２排出部と、前記フィルタの一次側と二次側とを連通させる連通部（例えば、実施形態における連通ラインＬ４に相当）と、を備えるバラスト水処理装置に関する。
【手続補正３】
【補正対象書類名】明細書
【補正対象項目名】０００９
【補正方法】変更
【補正の内容】
【０００９】
また、バラスト水処理装置は、前記ケーシングの内部に圧縮ガスを供給する圧縮ガス供給部を更に備えることが好ましい。
また、前記圧縮ガス供給部は、前記フィルタと前記ケーシングとの間に圧縮ガスを供給することが好ましい。